(57)【要約】【課題】点検箇所の状況を適確に記録すること。【解決手段】携帯機器１０は、表示部１１１と、操作部１１２と、記憶部１７と、点検箇所判定部１７１ａと、結果登録部１７１ｂとを備える。点検箇所判定部１７１ａは、点検箇所の選択を受け付けるための選択画面を表示部１１１に表示させ、操作部１１２によって検出される操作に基づいて点検箇所を判定する。結果登録部１７１ｂは、点検箇所判定部１７１ａによって判定された点検箇所の形状を示す画像を表示部１１１に表示させ、操作部１１２によって検出される操作に基づいて、点検箇所の点検結果を画像に反映するための編集処理を画像に行い、画像を点検箇所と対応付けて記憶部１７に記憶させる。【選択図】図２
2013140441.tif 000002
【特許請求の範囲】
【請求項１】
表示部と、
操作部と、
記憶部と、
点検箇所の選択を受け付けるための選択画面を前記表示部に表示させ、前記操作部によって検出される操作に基づいて点検箇所を判定する点検箇所判定部と、
前記点検箇所判定部によって判定された前記点検箇所の形状を示す画像を前記表示部に表示させ、前記操作部によって検出される操作に基づいて、前記点検箇所の点検結果を前記画像に反映するための編集処理を前記画像に行い、前記画像を前記点検箇所と対応付けて前記記憶部に記憶させる結果登録部と
を備える携帯機器。
【請求項２】
前記結果登録部は、前記点検箇所判定部によって判定された前記点検箇所の症状の種別の入力を、前記操作部を介して受け付け、受け付けた前記種別に応じて、前記編集処理のために前記表示部に表示する入力画面を変更し、前記種別を前記点検箇所と対応付けて前記記憶部に記憶させる請求項１に記載の携帯機器。
【請求項３】
前記結果登録部は、前記点検箇所判定部によって判定された前記点検箇所の交換の要否に関する判定値の入力を、前記操作部を介して受け付け、受け付けた前記判定値を前記点検箇所と対応付けて前記記憶部に記憶させる請求項１または２に記載の携帯機器。
【請求項４】
前記点検箇所判定部によって判定された前記点検箇所に関する履歴情報を前記表示部に表示させる判定支援部をさらに備える請求項１から３のいずれか１つに記載の携帯機器。
【請求項５】
前記判定支援部は、前記点検箇所判定部によって判定された前記点検箇所に関する判定の基準となる指標情報を前記表示部に表示させる請求項４に記載の携帯機器。
【請求項６】
表示部、操作部、および記憶部を備える携帯機器に、
点検箇所の選択を受け付けるための選択画面を前記表示部に表示させるステップと、
前記選択画面の表示中に前記操作部によって検出される操作に基づいて点検箇所を判定するステップと、
判定された前記点検箇所の形状を示す画像を前記表示部に表示させるステップと、
前記画像の表示中に前記操作部によって検出される操作に基づいて、前記点検箇所の点検結果を前記画像に反映するための編集処理を前記画像に行うステップと、
前記編集処理が行われた前記画像を前記点検箇所と対応付けて前記記憶部に記憶させるステップと
を実行させる点検支援プログラム。
【請求項７】
携帯機器と履歴管理装置とを含む点検支援システムであって、
前記携帯機器は、
表示部と、
操作部と、
記憶部と、
点検箇所の選択を受け付けるための選択画面を前記表示部に表示させ、前記操作部によって検出される操作に基づいて点検箇所を判定する点検箇所判定部と、
前記点検箇所判定部によって判定された前記点検箇所の形状を示す画像を前記表示部に表示させ、前記操作部によって検出される操作に基づいて、前記点検箇所の点検結果を前記画像に反映するための編集処理を前記画像に行い、前記画像を前記点検箇所と対応付けて前記記憶部に記憶させる結果登録部と
を備え、
前記履歴管理装置は、
前記携帯機器によって前記点検箇所と対応付けて記憶された前記画像を、前記点検箇所に関する履歴情報として蓄積するデータベース
を備える点検支援システム。
【請求項８】
前記携帯機器は、前記点検箇所判定部によって判定された前記点検箇所に対応する前記履歴情報を前記表示部に表示させる判定支援部をさらに備える請求項７に記載の点検支援システム。
【請求項９】
前記携帯機器によって前記点検箇所と対応付けて記憶された前記画像を集約し、報告書データを生成する点検管理装置をさらに含む請求項７または８に記載の点検支援システム。
【発明の詳細な説明】
【技術分野】
【０００１】
本発明は、携帯機器、点検支援プログラムおよび点検支援システムに関する。
【背景技術】
【０００２】
プラント設備などの点検時に、点検箇所に関する情報を入力するために携帯端末を用いる技術が知られている。例えば、特許文献１では、点検箇所に関する情報として、文字だけでなく、撮影機構によって撮影した画像を送信可能な携帯端末が開示されている。
【先行技術文献】
【特許文献】
【０００３】
【特許文献１】特開２００４−２４０５３８号公報
【発明の概要】
【発明が解決しようとする課題】
【０００４】
点検箇所を鮮明に撮影することにより、文字で表現する場合よりも、点検箇所の状況を適確に記録することができる。しかしながら、点検箇所によっては、周囲が暗い等の理由で鮮明な画像を撮影することができないことがある。本発明は、点検箇所の状況を適確に記録することができる携帯機器、点検支援プログラムおよび点検支援システムを提供することを目的とする。
【課題を解決するための手段】
【０００５】
本発明に係る携帯機器は、１つの態様として、表示部と、操作部と、記憶部と、点検箇所の選択を受け付けるための選択画面を前記表示部に表示させ、前記操作部によって検出される操作に基づいて点検箇所を判定する点検箇所判定部と、前記点検箇所判定部によって判定された前記点検箇所の形状を示す画像を前記表示部に表示させ、前記操作部によって検出される操作に基づいて、前記点検箇所の点検結果を前記画像に反映するための編集処理を前記画像に行い、前記画像を前記点検箇所と対応付けて前記記憶部に記憶させる結果登録部とを備える。
【０００６】
本発明に係る点検支援プログラムは、１つの態様として、表示部、操作部、および記憶部を備える携帯機器に、点検箇所の選択を受け付けるための選択画面を前記表示部に表示させるステップと、前記選択画面の表示中に前記操作部によって検出される操作に基づいて点検箇所を判定するステップと、判定された前記点検箇所の形状を示す画像を前記表示部に表示させるステップと、前記画像の表示中に前記操作部によって検出される操作に基づいて、前記点検箇所の点検結果を前記画像に反映するための編集処理を前記画像に行うステップと、前記編集処理が行われた前記画像を前記点検箇所と対応付けて前記記憶部に記憶させるステップとを実行させる。
【０００７】
本発明に係る点検支援システムは、１つの態様として、携帯機器と履歴管理装置とを含む。前記携帯機器は、表示部と、操作部と、記憶部と、点検箇所の選択を受け付けるための選択画面を前記表示部に表示させ、前記操作部によって検出される操作に基づいて点検箇所を判定する点検箇所判定部と、前記点検箇所判定部によって判定された前記点検箇所の形状を示す画像を前記表示部に表示させ、前記操作部によって検出される操作に基づいて、前記点検箇所の点検結果を前記画像に反映するための編集処理を前記画像に行い、前記画像を前記点検箇所と対応付けて前記記憶部に記憶させる結果登録部とを備える。前記履歴管理装置は、前記携帯機器によって前記点検箇所と対応付けて記憶された前記画像を、前記点検箇所に関する履歴情報として蓄積するデータベースを備える。
【発明の効果】
【０００８】
本発明に係る携帯機器、点検支援プログラムおよび点検支援システムは、点検箇所の状況を適確に記録することができるという効果を奏する。
【図面の簡単な説明】
【０００９】
【図１】図１は、点検支援システムの構成を示す図である。
【図２】図２は、携帯機器の構成を示すブロック図である。
【図３】図３は、点検情報の例を示す図である。
【図４】図４は、点検支援システムの動作の例を示すシーケンス図である。
【図５】図５は、点検箇所選択画面の例を示す図である。
【図６】図６は、点検結果登録画面の例を示す図である。
【図７】図７は、図面データの編集処理を行う場合の点検結果登録画面の例を示す図である。
【図８】図８は、画像データの記憶後の点検結果登録画面の例を示す図である。
【図９】図９は、指標情報画面の例を示す図である。
【図１０】図１０は、履歴情報画面の例を示す図である。
【図１１】図１１は、点検箇所の症状の時系列的な変化を示すグラフの例を示す図である。
【発明を実施するための形態】
【００１０】
以下に、本発明に係る携帯機器、点検支援プログラムおよび点検支援システムの実施例を図面に基づいて詳細に説明する。なお、この実施例によりこの発明が限定されるものではない。また、この実施例における構成要素には、当業者が容易に想定できるもの、実質的に同一のもの、いわゆる均等の範囲のものが含まれる。
【００１１】
以下の説明では、本発明をボイラの燃焼バーナの定期点検に利用する例について説明するが、本発明の適用対象はこれに限定されない。本発明は、各種装置の点検に利用することができる。
【実施例】
【００１２】
まず、図１を参照しながら、本実施例に係る点検支援システム１の構成について説明する。図１は、点検支援システム１の構成を示す図である。点検支援システム１は、装置の点検およびそれに関連する業務を支援する。図１に示すように、点検支援システム１は、履歴管理装置２と、点検管理装置３と、１乃至複数の携帯機器１０とを含む。
【００１３】
履歴管理装置２は、装置の点検に関連する情報を履歴情報として集中管理する。履歴管理装置２は、例えば、サーバまたはパソコンである。履歴管理装置２は、履歴情報を蓄積するための履歴ＤＢ２ａを有する。履歴ＤＢ２ａに蓄積される情報には、点検結果に関する情報、点検結果に基づいて顧客に対して行われた提案に関する情報、および点検箇所に対して実際に行われた補修および交換に関する情報が含まれる。
【００１４】
点検管理装置３は、今回の定期点検に関する情報を管理する。点検管理装置３は、例えば、サーバまたはパソコンである。点検管理装置３は、点検箇所を含むプラント等の施設内またはその近隣へ移動可能な携帯型のパソコンであってもよい。点検管理装置３は、今回の定期点検に関する情報を格納するための点検情報ＤＢ３ａを有する。点検情報ＤＢ３ａに格納される情報には、履歴管理装置２から取得した履歴情報、点検箇所の配置に関する配置情報、および各点検箇所の点検結果に関する点検情報が含まれる。点検管理装置３は、点検情報ＤＢ３ａに基づいて、点検の進捗状況または点検結果に関する各種のレポート５を生成する。
【００１５】
履歴管理装置２および点検管理装置３は、有線または無線のネットワーク４を介して通信可能に接続される。履歴管理装置２は、例えば、今回の定期点検の対象となっている装置の履歴情報を、ネットワーク４を介して点検管理装置３へ送信する。点検管理装置３は、例えば、今回の定期点検の結果を含む点検情報を、ネットワーク４を介して履歴管理装置２へ送信する。履歴管理装置２および点検管理装置３は、必ずしも常時接続されている必要はなく、通信が必要なときに接続されればよい。
【００１６】
携帯機器１０は、点検を行う作業者が点検現場に持ち込んで利用する装置である。携帯機器１０は、点検に関する作業者の判定を支援し、判定された判定結果を記憶する。さらに、携帯機器１０は、作業者の操作にしたがって、点検箇所の形状を示す画像上に点検結果を追記する編集処理を行い、編集後の画像データを記憶する。携帯機器１０に記憶された情報は、点検管理装置３へ送信され、点検管理装置３において集約される。
【００１７】
点検管理装置３および携帯機器１０は、媒体を介して情報をやりとりする。情報のやりとりに用いられる媒体は、例えば、ＷｉＦｉおよび無線通信事業者の通信回線等の無線回線、ＵＳＢおよびイーサネット（登録商標）等の有線回線、またはメモリカードおよび光ディスク等の記憶媒体である。
【００１８】
図１に示す構成は、一例であり、点検支援システムの構成はこれに限定されない。例えば、図１に示す各装置の数は、図１の通りでなくてもよい。例えば、履歴管理装置２および点検管理装置３が一体に構成されてもよい。例えば、点検管理装置３および携帯機器１０が一体に構成されてもよい。
【００１９】
次に、図１に示した携帯機器１０の構成について説明する。図２は、携帯機器１０の構成を示すブロック図である。図２に示すように、携帯機器１０は、タッチパネル１１と、通信部１２と、媒体読取部１３と、カメラ１４と、マイク１５と、制御部１６と、記憶部１７とを備える。
【００２０】
タッチパネル１１は、表示部１１１と操作部１１２とを含む。表示部１１１は、液晶パネルまたは有機ＥＬ（Organic Electro−Luminescence）パネル等の表示装置を有する。表示部１１１は、制御部１６から送信される制御信号に基づいて、文字、記号、図形および画像等の各種情報を含む画面を表示装置上に表示する。操作部１１２は、表示部１１１に表示される画面に対して作業者が指またはペン等を用いて行う操作を検出する。操作部１１２が操作を検出する方式は、例えば、静電容量方式、抵抗膜方式、赤外線方式、または表面弾性波方式である。操作部１１２は、作業者が行った操作に対応する信号を制御部１６へ出力する。
【００２１】
通信部１２は、所定の通信プロトコルに基づいて、点検管理装置３との間の情報の送受信を制御する。点検管理装置３との間の情報の送受信は、無線通信であってもよいし、有線通信であってもよい。媒体読取部１３は、光ディスク、光磁気ディスク、メモリカード等の可搬の記憶媒体からプログラムおよびデータを読み取る。
【００２２】
カメラ１４は、ＣＣＤまたはＣＭＯＳ等のイメージセンサを含む。カメラ１４は、イメージセンサを用いて画像を電子的に撮影する。カメラ１４は、主として、点検箇所の画像を撮影するために用いられる。マイク１５は、外部の音声を音声信号へ変換し、変換した音声信号を制御部１６へ出力する。
【００２３】
制御部１６は、演算装置であるＣＰＵ（Central Processing Unit）１６１と、記憶装置であるメモリ１６２とを備える。制御部１６は、これらのハードウェア資源を用いてプログラムを実行することによって各種の機能を実現する。具体的には、制御部１６は、記憶部１７に記憶されているプログラムを読み出してメモリ１６２に展開し、メモリ１６２に展開されたプログラムに含まれる命令をＣＰＵ１６１に実行させる。そして、制御部１６は、ＣＰＵ１６１による命令の実行結果に応じて、メモリ１６２および記憶部１７に対してデータの読み書きを行ったり、表示部１１１および通信部１２等の動作を制御したりする。
【００２４】
記憶部１７は、各種のプログラムおよびデータを記憶する。これらを記憶するために、記憶部１７は、磁気記憶装置や半導体記憶装置等の不揮発性を有する記憶装置を含む。記憶部１７に記憶されるプログラムには、点検支援プログラム１７１が含まれる。記憶部１７に記憶されるデータには、点検情報１７２と、配置情報１７３と、履歴情報１７４と、指標情報１７５とが含まれる。さらに、記憶部１７には、図面データを記憶するための図面データ記憶領域１７６と、カメラ１４によって撮影された画像を記憶するための撮影データ記憶領域１７７とが設けられる。
【００２５】
図２において記憶部１７が記憶していることとしたプログラムおよびデータの全体または一部は、媒体読取部１３が読み取り可能な記憶媒体に記憶されていてもよい。あるいは、図２において記憶部１７が記憶していることとしたプログラムおよびデータの全体または一部は、通信部１２による通信によって他の装置から取得されてもよい。
【００２６】
点検支援プログラム１７１は、作業者による点検作業を支援するための機能を提供する。点検支援プログラム１７１は、点検箇所判定部１７１ａと、結果登録部１７１ｂと、判定支援部１７１ｃとを含む。
【００２７】
点検箇所判定部１７１ａは、点検箇所の選択を受け付けるための選択画面を表示部１１１に表示させ、操作部１１２によって検出される操作に基づいて点検箇所を判定する。
【００２８】
結果登録部１７１ｂは、点検箇所判定部１７１ａによって判定された点検箇所の形状を示す画像を表示部１１１に表示させ、操作部１１２によって検出される操作に基づいて、点検箇所の点検結果を画像に反映するための編集処理を画像に行う。そして、結果登録部１７１ｂは、編集処理が行われた画像データを点検箇所と対応付けて記憶部１７の図面データ記憶領域１７６に記憶させる。さらに、結果登録部１７１ｂは、操作部１１２を介して、点検箇所の症状の種別および交換の要否に関する判定値の入力を受け付け、種別および判定値を点検箇所と対応付けて点検情報１７２に格納する。
【００２９】
判定支援部１７１ｃは、作業者による点検箇所の症状および交換の要否に関する判定を支援するための情報を表示部１１１に表示させる。例えば、判定支援部１７１ｃは、判定のための指標、または点検箇所の過去の点検結果および対処の実績を含む履歴情報を表示部１１１に表示させる。
【００３０】
点検情報１７２は、点検結果に関するデータを点検箇所ごとに保持する。点検情報１７２には、作業者（携帯機器１０の利用者）が点検すべき全ての点検箇所に対応するデータが予め格納される。図３は、点検情報１７２の例を示す図である。図３に示す点検情報１７２は、プラントＩＤ、点検箇所ＩＤ、種別、名称、症状、詳細、対処、図面データ名、撮影データ名、結果登録日という項目を有している。
【００３１】
プラントＩＤの項目には、点検箇所を含むプラントを識別するための識別番号が格納される。点検箇所ＩＤの項目には、点検箇所を識別するための識別番号が格納される。種別の項目には、点検箇所の種別を示す値が格納される。種別の項目には、例えば、「ノズル」、「バーナ本体」、または「その他」の値が格納される。名称の項目には、点検箇所の名称が格納される。
【００３２】
症状の項目には、点検に基づいて判定された点検箇所の症状の種別を示す値が格納される。症状の項目は、初期状態では空欄に設定される。点検に基づいて点検箇所に問題が無いと判定された場合、症状の項目には、例えば、「良好」の値が格納される。点検に基づいて点検箇所に問題があると判定された場合、症状の項目には、症状の種別に応じて、例えば、「クラック」、「変形」、「摩耗」、または「その他」の値が格納される。詳細の項目には、点検に基づいて点検箇所に問題があると判定された場合に、症状の詳細に関する情報が格納される。例えば、点検箇所にクラックが発見された場合、症状の項目には、「クラック」が格納され、詳細の項目には、クラックの大きさを示す値が格納される。点検箇所に複数の問題が発見された場合、症状および詳細の項目には、それぞれの問題に対応する値の組み合わせが複数設定されることがある。
【００３３】
対処の項目には、点検箇所の症状に対して実施すべき対処を示す値が設定される。対処の項目は、初期状態では空欄に設定される。点検に基づいて点検箇所に問題が無いと判定された場合、対処の項目は、空欄のままとなる。点検に基づいて点検箇所に問題があると判定された場合、対処の項目には、症状の重大さに応じて、例えば、「補修」、「次回交換推奨」、または「今回交換推奨」の値が格納される。「補修」は、点検箇所を交換せずに、補修によって問題を解決可能であることを意味する。「次回交換推奨」は、今回の定期点検では点検箇所を交換する必要はないが、次回の定期点検時には交換が必要であることを意味する。「今回交換推奨」は、今回の定期点検で点検箇所を交換すべきであることを意味する。
【００３４】
図面データ名の項目には、点検箇所の形状を示す画像データのファイル名が格納される。点検箇所の形状を示す画像データは、図面データ記憶領域１７６に記憶される。記憶部１７の記憶領域を効率的に活用するため、編集処理が行われる前には、点検箇所の形状を示す画像データを図面データ記憶領域１７６に記憶しなくてもよい。この場合、編集処理が施されていない画像データが点検箇所の種別毎に予め用意される。そして、点検箇所に対応する画像の編集処理が初めて実行されるときに、その点検箇所の種別に対応する画像データの複製が作成され、図面データ名の項目に格納されているファイル名で図面データ記憶領域１７６に記憶される。
【００３５】
撮影データ名の項目には、点検箇所をカメラ１４によって撮影した画像データのファイル名が格納される。点検箇所を撮影した画像データは、撮影データ記憶領域１７７に記憶される。点検箇所の画像データが複数撮影された場合、撮影データ名の項目には、それぞれの画像データのファイル名が格納される。
【００３６】
結果登録日の項目には、点検箇所の点検結果が点検情報１７２に格納された日付および時刻が格納される。
【００３７】
配置情報１７３は、それぞれの点検箇所がプラントのどこに配置されているかを示す情報を保持する。配置情報１７３には、例えば、それぞれの点検箇所の点検箇所ＩＤと対応付けて、点検箇所が存在する段を識別するための値と、点検箇所が存在するコーナを識別するための値とが格納される。
【００３８】
履歴情報１７４は、それぞれの点検箇所の過去の点検結果および対処の実績に関する情報を保持する。過去の点検結果に関する情報には、例えば、判定された症状および対処の内容、編集された画像データ、および撮影された画像データが含まれる。対処の実績に関する情報には、例えば、顧客に提案した対処の内容、提案に基づいて顧客が決定した事項、および実施された補修または交換の内容が含まれる。
【００３９】
指標情報１７５は、点検箇所の症状の良否および対処を判定するための指標となる情報を保持する。指標情報１７５は、例えば、測定値と判定結果の対応表、および判定に関するマニュアル等を含む。
【００４０】
次に、図４を参照しながら、点検支援システム１の動作の例について説明する。図４は、点検支援システム１の動作の例を示すシーケンス図である。図４に示すように、点検すべきプラントが決定されると、履歴管理装置２が、決定されたプラントに含まれる点検箇所の履歴情報を履歴ＤＢ２ａから抽出する（ステップＳ１０１）。抽出される履歴情報には、点検箇所の過去の点検結果および対処の実績に関する情報が含まれる。抽出された履歴情報は、履歴管理装置２から点検管理装置３へ送信される（ステップＳ１０２）。
【００４１】
点検管理装置３は、点検すべきプラントに含まれる点検箇所の点検情報、配置情報および図面データ（点検箇所の形状を示す画像データ）を点検情報ＤＢ３ａから抽出する。あるいは、点検管理装置３は、点検すべきプラントに含まれる点検箇所の点検情報、配置情報および図面データを点検情報ＤＢ３ａに格納されている情報に基づいて生成する（ステップＳ１０３）。抽出または生成された点検情報、配置情報および図面データは、履歴管理装置２から送信された履歴情報とともに、点検作業を担当する作業員の携帯機器１０へ送信される（ステップＳ１０４）。点検情報、配置情報および図面データ、または、これらの元となるデータは、履歴管理装置２から点検管理装置３へ送信されてもよい。
【００４２】
携帯機器１０は、作業員に携帯され、点検箇所において作業者に情報を提供し、点検結果を記録する（ステップＳ１０５）。具体的には、携帯機器１０は、指標情報および点検箇所の履歴情報を作業者に提供し、作業者の判定を支援する。そして、携帯機器１０は、作業者の操作にしたがって、点検箇所に関する症状等の入力を受け付け、点検箇所の状態をグラフィカルに記録するための編集処理を実行し、点検箇所の画像を撮影する。作業者の担当する全ての点検箇所の点検が完了していない場合（ステップＳ１０６，Ｎｏ）、携帯機器１０は、他の点検箇所において、ステップＳ１０５と同様の処理を実行する。
【００４３】
全ての点検箇所の点検が完了した場合（ステップＳ１０６，Ｙｅｓ）、携帯機器１０は、点検結果を抽出する（ステップＳ１０７）。抽出される情報には、点検箇所の症状等が設定された点検情報と、編集処理が施された図面データと、点検箇所の撮影データ（点検箇所を撮影した画像データ）とが含まれる。抽出された情報は、点検管理装置３へ送信される（ステップＳ１０８）。
【００４４】
携帯機器１０から点検管理装置３へ点検結果に関する情報を送信するタイミングは、全ての箇所の点検が完了したタイミングに限定されない。例えば、携帯機器１０は、無線通信を用いて、１つの箇所の点検が完了するたびに、ほぼリアルタイムで情報を点検管理装置３へ送信してもよい。あるいは、携帯機器１０は、１日分の作業が完了したタイミング等の、ある程度情報が貯まったタイミングで情報を点検管理装置３へ送信してもよい。
【００４５】
点検管理装置３は、携帯機器１０から送信された情報を点検情報ＤＢ３ａに格納し、全ての点検箇所の点検結果に関する情報が揃うと、集計処理を実行する（ステップＳ１０９）。そして、点検管理装置３は、集計結果に基づいて、報告書データを作成する（ステップＳ１１０）。生成される報告書データは、例えば、点検結果の報告と、補修および交換に関する提案とのために顧客に提出されるレポート５を出力するためのデータである。点検管理装置３は、補修および交換に必要な部品または部材を発注するための発注データを生成してもよい。点検管理装置３は、補修および交換が早期に開始されるように、補修および交換に必要な部品または部材のうち、入手までのリードタイムが長いものの発注データを生成してもよい。
【００４６】
点検管理装置３は、点検箇所の点検結果に関する情報を点検情報ＤＢ３ａから抽出する（ステップＳ１１１）。抽出される情報には、点検箇所の症状等が設定された点検情報と、編集処理が施された図面データと、点検箇所の撮影データとが含まれる。抽出された情報は、履歴管理装置２へ送信される（ステップＳ１１２）。履歴管理装置２は、点検管理装置３から送信された情報を履歴ＤＢ２ａに格納する（ステップＳ１１３）。履歴ＤＢ２ａに格納された情報は、次回以降の定期点検時に履歴情報として利用される。
【００４７】
次に、図５から図１１を参照しながら、携帯機器１０の動作の例について説明する。図５は、点検箇所選択画面２１の例を示す図である。携帯機器１０は、点検結果の登録等を行う点検箇所を決定するために、点検箇所判定部１７１ａの機能に基づいて、図５に示すような点検箇所選択画面２１を表示部１１１に表示する。
【００４８】
点検箇所選択画面２１は、段選択領域２１１と、コーナ選択領域２１２と、種別選択領域２１３と、点検箇所選択領域２１４と、ボタン２１５と、進捗表示領域２１６とを有する。段選択領域２１１は、点検箇所が燃焼バーナのどの位置にあるかを上、中、下段に分けて選択するための領域である。携帯機器１０は、配置情報１７３に基づいて、点検箇所が存在する段を選択肢として段選択領域２１１に表示する。図５に示す例では、上段を示す「上」と、中断を示す「中」と、下段を示す「下」とが選択肢として段選択領域２１１に表示されている。
【００４９】
コーナ選択領域２１２は、点検箇所が存在するコーナを選択するための領域である。携帯機器１０は、配置情報１７３に基づいて、段選択領域２１１で選択された段において点検箇所が存在するコーナを選択肢としてコーナ選択領域２１２に表示する。図５に示す例では、段の前方と後方のそれぞれに、「１」、「２」、「３」、「４」の１つのコーナが選択肢としてコーナ選択領域２１２に表示されている。
【００５０】
種別選択領域２１３は、点検箇所の候補を種別によって絞り込むための領域である。図５に示す例では、「バーナ本体」と、「ノズル」と、「その他」とが選択肢として種別選択領域２１３に表示されている。種別選択領域２１３内の選択肢は、同時に複数選択できるように構成される。
【００５１】
点検箇所選択領域２１４は、点検箇所の候補を一覧表示するための領域である。携帯機器１０は、点検情報および配置情報１７３に基づいて、段選択領域２１１で選択された段のコーナ選択領域２１２で選択されたコーナに存在し、種別選択領域２１３で選択された種別のいずれかと種別が同一の点検箇所の一覧を点検箇所選択領域２１４に表示する。点検箇所選択領域２１４は、一覧に含まれる点検箇所の１つが選択されるように構成される。
【００５２】
ボタン２１５は、点検結果の登録等を行う点検箇所を確定させるために用いられる。携帯機器１０は、点検箇所選択領域２１４に表示されている点検箇所のうち、ボタン２１５が押下（タップ）されたときに選択されている点検箇所を、点検結果の登録等を行う点検箇所として決定する。携帯機器１０は、点検箇所を検定した後、図６に示す点検結果登録画面２２を表示部１１１に表示する。
【００５３】
進捗表示領域２１６は、点検の進捗状況を表示するための領域である。携帯機器１０は、例えば、点検情報１７２に登録されている点検箇所の総数と、点検情報１７２に点検結果が設定されている点検箇所の数とを進捗表示領域２１６に表示する。
【００５４】
携帯機器１０は、コーナ選択領域２１２において、全ての点検箇所に点検結果が登録済みのコーナの表示態様を変更してもよい。さらに、携帯機器１０は、段選択領域２１１において、全ての点検箇所に点検結果が登録済みの段の表示態様を変更してもよい。表示態様は、例えば、選択肢の色および模様の少なくとも一方が変更される。このように進捗状況をコーナ選択領域２１２および段選択領域２１１に反映することにより、どの部分の点検が完了し、どの部分の点検が残っているかを視覚的に分かりやすく表示することができる。さらに、進捗状況が点検箇所の配置と対応付けて示されるため、作業者は、どの順序で段およびコーナを移動すれば効率よく点検を実施できるかを容易に把握することができる。
【００５５】
図６は、点検結果登録画面２２の例を示す図である。携帯機器１０は、点検結果の入力を受け付けることと、点検結果を画像に反映するための編集処理を行うことと、点検箇所の画像を撮影することとのために、結果登録部１７１ｂの機能に基づいて、図６に示すような点検結果登録画面２２を表示部１１１に表示する。
【００５６】
点検結果登録画面２２は、ボタン２２１と、名称表示領域２２２と、図面データ表示領域２２３と、編集アイコン表示領域２２４と、撮影アイコン２２５と、撮影データ表示領域２２６と、ボタン２２７と、ボタン２２８と、症状選択領域２２９と、対処選択領域２３０とを有する。
【００５７】
ボタン２２１は、点検箇所選択画面２１へ戻るために用いられる。名称表示領域２２２は、点検箇所選択画面２１で選択された点検箇所の名称を表示するための領域である。図面データ表示領域２２３は、点検箇所選択画面２１で選択された点検箇所の形状を示す画像を表示するための領域である。編集アイコン表示領域２２４は、図面データ表示領域２２３に表示される画像の編集処理を開始するためのアイコンが配置される領域である。
【００５８】
撮影アイコン２２５は、カメラ１４を起動するために用いられる。撮影データ表示領域２２６は、カメラ１４によって撮影された画像データを縮小したサムネイル２２６ａが表示される領域である。携帯機器１０は、撮影アイコン２２５がタップされると、カメラ１４を起動し、撮影のための画面を表示部１１１に表示する。そして、カメラ１４によって撮影された画像データを撮影データ記憶領域１７７に記憶させ、画像データのファイル名を点検箇所と対応付けて点検情報１７２に格納する。点検箇所選択画面２１が表示される場合、携帯機器１０は、点検箇所と対応付けて点検情報１７２に格納されているファイル名に基づいて撮影データ記憶領域１７７から画像データを読み出し、画像データのサムネイルを撮影データ表示領域２２６に表示する。携帯機器１０は、サムネイルがタップされると、サムネイルに対応する画像データを表示部１１１に表示する。
【００５９】
ボタン２２７は、点検箇所に対応する指標データを表示するために用いられる。ボタン２２８は、点検箇所に対応する履歴データを表示するために用いられる。
【００６０】
症状選択領域２２９は、点検箇所の症状を選択するための領域である。図６に示す例では、「良好」、「クラック」、「変形」、「摩耗」、「その他」の５つの選択肢が症状選択領域２２９に表示されている。携帯機器１０は、症状選択領域２２９の選択肢が選択されると、点検箇所に対応する点検情報１７２のデータの症状の項目に、選択された選択肢に対応する値を設定する。そして、携帯機器１０は、後述するように、選択された選択肢に対応する編集処理を図面データに対して実行するためのポップアップ画面とアイコンとを表示する。
【００６１】
対処選択領域２３０は、点検箇所に対応する対処を選択するための領域である。図６に示す例では、「不要」、「補修」、「次回交換推奨」、「今回交換推奨」の４つの選択肢が対処選択領域２３０に表示されている。携帯機器１０は、症状選択領域２２９において「良好」が選択されると、対処選択領域２３０の選択肢を選択不能にし、点検箇所に対応する点検情報１７２のデータの対処の項目を空欄にする。症状選択領域２２９において「良好」以外の選択肢が選択されているときに対処選択領域２３０の選択肢が選択されると、携帯機器１０は、点検箇所に対応する点検情報１７２のデータの対処の項目に、選択された選択肢に対応する値を設定する。
【００６２】
このように、携帯機器１０は、作業者が点検箇所の点検結果をその場で電子的に登録することができるように構成されている。このため、紙等に記入した点検結果を後で電子的に登録する必要がなく、全体的な作業が効率化される。
【００６３】
図７は、図面データの編集処理を行う場合の点検結果登録画面２２の例を示す図である。携帯機器１０は、症状選択領域２２９において「良好」以外の選択肢が選択されると、選択された選択肢に対応する症状に応じて、図面データ表示領域２２３に表示されている画像データに編集処理を施すための状態へ点検結果登録画面２２を切り替える。
【００６４】
図７は、症状選択領域２２９において「クラック」が選択された場合の点検結果登録画面２２の例を示している。図７に示す例では、点検結果登録画面２２上にポップアップ画面２３１が表示され、編集アイコン表示領域２２４に編集処理のためのアイコンが配置されている。編集アイコン表示領域２２４に配置されるアイコンには、例えば、フリーハンドで線を記入する処理を開始するためのアイコン、記入された線または文字を消去する処理を開始するためのアイコン、任意の文字を記入する処理を開始するためのアイコン、編集された画像データを保存するためのアイコン、編集を取り消すためのアイコンが含まれる。線または文字の記入および消去は、例えば、指またはペンを用いて接触された位置を基準として実行される。
【００６５】
ポップアップ画面２３１は、位置指定点２３１ａと、クラックサイズ入力欄２３１ｂと、音声入力アイコン２３１ｃとを含む。利用者は、ポップアップ画面２３１をドラッグして位置指定点２３１ａをクラックの位置に移動させる。携帯機器１０は、位置指定点２３１ａの位置をクラックの位置と判定する。クラックサイズ入力欄２３１ｂは、クラックの大きさとして入力された値を表示する。携帯機器１０は、クラックサイズ入力欄２３１ｂがタップされると、クラックの大きさの入力を受け付けるためのテンキー等の仮想キーボードを表示部１１１に表示する。仮想キーボードに数値を入力することにより「クラック」の大きさを表示する。携帯機器１０は、音声入力アイコン２３１ｃがタップされると、マイク１５を介して入力される音声の音声解析処理を開始し、音声解析処理によって得られた値をクラックサイズ入力欄２３１ｂに表示する。
【００６６】
携帯機器１０は、編集された画像データを保存するためのアイコンがタップされると、編集処理によって記入された線および文字を画像データに追加する。さらに、携帯機器１０は、クラックサイズ入力欄２３１ｂに設定されている値をクラックの大きさとして画像データに追加するともに、点検箇所に対応する点検情報１７２のデータの詳細の項目にその値を設定する。そして、携帯機器１０は、更新された図面データを図面データ記憶領域１７６に記憶させる。
【００６７】
図８は、画像データを図面データ記憶領域１７６に記憶させた後の点検結果登録画面２２の例を示している。図８に示す例では、フリーハンドによる線２２３ａによってクラックの位置、形状および大きさが示されている。さらに、位置指定点２３１ａがあった位置を示す引き出し線２２３ｂをともなって、クラックの大きさが３ｍｍであることを示す文字列２２３ｃが画像データに追加されている。指またはペンを用いて画面上の位置を指定する場合、接触面積が大きいために位置を正確に指定することが難しいことがあるが、本実施例では、位置指定点２３１ａが適切な位置となるようにポップアップ画面２３１をドラッグすることによって引き出し線２２３ｂの始点の位置を調整することができるため、引き出し線２２３ｂの始点を線２２３ａの位置と合わせることができる。文字列２２３ｃの位置は、他の要素とできるだけ重ならないように携帯機器１０によって調整される。
【００６８】
症状選択領域２２９において「良好」以外の他の選択肢が選択された場合、携帯機器１０は、選択された選択肢に対応する症状に応じて点検結果登録画面２２を切り替え、症状の詳細を画像上に記入させる。症状選択領域２２９は、「良好」以外の他の選択肢を複数選択することが可能であり、携帯機器１０は、２つめ以降の選択肢が選択された場合、選択された選択肢に対応する編集処理を追加的に実行する。
【００６９】
このように、携帯機器１０は、点検箇所の形状を示す画像データを表示部１１１に表示し、点検結果を反映するための編集処理を画像データに対して行う。そして、携帯機器１０は、画像データを点検箇所と対応付けて記憶する。このため、携帯機器１０は、点検結果を視覚的に容易に把握することが可能な形式で記録することができる。
【００７０】
携帯機器１０は、カメラ１４を用いて点検箇所の画像を撮影することができる。しかしながら、点検箇所の周辺が暗い等の理由により、点検箇所の鮮明な画像を撮影できない場合がある。点検箇所の形状を示す画像データ上に点検結果を記入させることにより、点検箇所の鮮明な画像を撮影できない場合でも、点検結果を視覚的に示す適確な情報を確実に取得することが可能になる。
【００７１】
さらに、例えば、ボイラの燃焼バーナの定期点検の場合、点検箇所の付近は粉塵が多く、湿度が高い。そのため、紙の図面を持ち込み、そこに点検結果を記入することとすると、図面の品質が粉塵と湿度のために劣化し、顧客への報告にそのまま使用することができない。携帯機器１０は、点検結果が記入された画像データを電子的に記憶するため、画像データを顧客への報告にそのまま使用することができる。
【００７２】
さらに、携帯機器１０は、選択された選択肢に対応する症状に応じて点検結果登録画面２２を切り替える。このため、作業者は、点検結果の詳細を画像中に容易に記入することができる。
【００７３】
図９は、指標情報画面２４の例を示す図である。携帯機器１０は、点検結果登録画面２２のボタン２２７がタップされた場合に、判定支援部１７１ｃの機能に基づいて、表示部１１１に指標情報画面２４を表示する。指標情報画面２４は、作業者による症状および対処の判定を支援するための情報を表示する画面である。
【００７４】
指標情報画面２４は、ボタン２４１と、指標情報表示領域２４２と、検索条件入力欄２４３と、ボタン２４４とを有する。ボタン２４１は、点検結果登録画面２２へ戻るために用いられる。指標情報表示領域２４２は、作業者を支援する情報を表示するための領域である。携帯機器１０は、初期状態では、点検結果登録画面２２に表示されていた点検箇所の種別に対応する情報を指標情報１７５から抽出し、指標情報表示領域２４２に表示する。指標情報１７５から抽出される情報は、例えば、測定値と判定結果の対応表または判定に関するマニュアルである。
【００７５】
検索条件入力欄２４３は、検索条件を入力するための領域である。ボタン２４４は、検索条件入力欄２４３に入力された検索条件に基づく検索処理を実行するために用いられる。携帯機器１０は、ボタン２４４がタップされると、指標情報１７５を検索して、検索条件入力欄２４３に入力された検索条件に該当する情報を取得する。そして、携帯機器１０は、取得した情報を指標情報表示領域２４２に表示する。
【００７６】
図１０は、履歴情報画面２５の例を示す図である。携帯機器１０は、点検結果登録画面２２のボタン２２８がタップされた場合に、判定支援部１７１ｃの機能に基づいて、表示部１１１に履歴情報画面２５を表示する。履歴情報画面２５は、点検箇所の過去の点検に関連する情報を表示する画面である。
【００７７】
履歴情報画面２５は、ボタン２５１と、履歴情報表示領域２５２と、ボタン２５８とを有する。ボタン２５１は、点検結果登録画面２２へ戻るために用いられる。履歴情報表示領域２５２は、点検に関する履歴情報を表示するための領域であり、過去の点検毎に設けられる。ボタン２５８は、点検箇所の症状の時系列的な変化を示すグラフを表示するために用いられる。
【００７８】
それぞれの履歴情報表示領域２５２は、ボタン２５３と、ボタン２５４と、症状表示欄２５５と、対処表示欄２５６と、対処表示欄２５７とを有する。ボタン２５３は、点検時に点検結果を記入するための編集処理が施された図面データを表示するために用いられる。ボタン２５４は、点検時に撮影された点検箇所の撮影データを表示するために用いられる。症状表示欄２５５は、点検時に判定された点検箇所の症状を表示するための領域である。対処表示欄２５６は、点検結果に基づいて顧客に提案された対処を表示するための領域である。対処表示欄２５７は、点検が行われてから次回の点検までに実際に実施された対処を表示するための領域である。
【００７９】
図１１は、履歴情報画面２５においてボタン２５８がタップされた場合に表示される履歴情報画面２６の例を示す図である。履歴情報画面２６は、履歴情報画面２５へ戻るためのボタン２６１を有する。履歴情報画面２６には、点検箇所の症状の時系列的な変化を示すグラフが表示される。図１１に示す例では、クラックの大きさの時系列的な変化が表示されている。作業者は、このようなグラフを参照することにより、症状の進行が急激であるのか緩やかであるのかを把握することができ、それを症状および対処の判定に役立てることができる。
【００８０】
図９から図１１に示したように、携帯機器１０は、点検箇所に関する指標情報および履歴情報を作業者に提供する。このことは、作業者が、点検現場にいながら、精度が高く点検漏れがなく個人差の少ない判定をすることを可能にする。作業者が点検現場で症状および対処の判定を行うことにより、点検の詳細を鮮明に記憶している状態で判定が行われるため、判定の品質の向上が達成される。
【００８１】
なお、上記の実施例で示した本発明の態様は、本発明の要旨を逸脱しない範囲で任意に変更することができる。例えば、上記の実施例で示したプログラムは、複数のモジュールに分割されていてもよいし、他のプログラムと統合されていてもよい。
【００８２】
上記の実施例では、携帯機器１０がタッチパネルを備える例を示したが、携帯機器１０は、単なる表示部と、表示部とは別に設けられたキーボード等の操作部を備えてもよい。あるいは、携帯機器１０は、タッチパネルと、キーボード等の操作部との両方を備えてもよい。
【００８３】
上記の実施例では、携帯機器１０が処理に用いる各種の情報を予め携帯機器１０に記憶させておく例を示した。しかしながら、携帯機器１０が処理に用いる各種の情報を、点検管理装置３等の他の装置が、必要時に送信することとしてもよい。すなわち、点検支援システム１は、携帯機器１０をクライアントとする、クラウド型またはサーバ−クライアント型のシステムであってもよい。この場合でも、携帯機器１０が他の装置とやりとりする情報は、一時的に、携帯機器１０が備える記憶部（メモリ１６２または記憶部１７）に記憶される。
【符号の説明】
【００８４】
１  点検支援システム
２  履歴管理装置
２ａ  履歴ＤＢ
３  点検管理装置
３ａ  点検情報ＤＢ
４  ネットワーク
５  レポート
１０  携帯機器
１１  タッチパネル
１１１  表示部
１１２  操作部
１２  通信部
１３  媒体読取部
１４  カメラ
１５  マイク
１６  制御部
１６１  ＣＰＵ
１６２  メモリ
１７  記憶部
１７１  点検支援プログラム
１７１ａ  点検箇所判定部
１７１ｂ  結果登録部
１７１ｃ  判定支援部
１７２  点検情報
１７３  配置情報
１７４  履歴情報
１７５  指標情報
１７６  図面データ記憶領域
１７７  撮影データ記憶領域
【図１】
2013140441.tif 000003
【図２】
2013140441.tif 000004
【図３】
2013140441.tif 000005
【図４】
2013140441.tif 000006
【図５】
2013140441.tif 000007
【図６】
2013140441.tif 000008
【図７】
2013140441.tif 000009
【図８】
2013140441.tif 000010
【図９】
2013140441.tif 000011
【図１０】
2013140441.tif 000012
【図１１】
2013140441.tif 000013